(57)【要約】【課題】作業者が通線ロッドの呼び線を直接掴んで取り出ないような狭小なスペ−スにおいても、呼び線を取り出すことが可能な通線用呼び線捕捉工具の提供【解決手段】この発明の通線用呼び線捕捉工具は、カメラ操作用ケ−ブル類を挿通する第一パイプ１と弾性ワイヤ２を挿通する第２パイプ３とを併設し、第一パイプ１の先端部にフレキシブルパイプ４を取付け、その先端部にカメラ受け台５を取付け、該受け台５の上端部に短尺パイプ６を固定し、第二パイプ３の手元部に、握り筒７を設け、握り筒７から弾性ワイヤ２を第二パイプ３を通り、短尺パイプ６に挿通させ、弾性ワイヤ２の先端部に爪８を固定し、弾性ワイヤ２の後端部に余長ａを残し、爪８をスライドさせる爪スライドレバ−９を取付け、短尺パイプ６の基部に紐１０を固定し、紐１０を前後動可能に、第一パイプ１と第二パイプ３に添設し、握り筒７まで延設している。【選択図】 図１
2005278276.tif 000002
【特許請求の範囲】
【請求項１】
カメラ操作用ケ−ブル類を挿通する第一パイプ（１）と弾性ワイヤ（２）を挿通する第２パイプ（３）とを併設し、前記第一パイプ（１）の先端部にフレキシブルパイプ（４）を取付け、該フレキシブルパイプ（４）の先端部にカメラ受け台（５）を取付け、該カメラ受け台（５）の上端部に短尺パイプ（６）を固定し、前記第二パイプ（３）の手元部に、該第二パイプ（３）に対してほぼ直角に突出するように、握り筒（７）を設け、該握り筒（７）から前記弾性ワイヤ（２）を前記第二パイプ（３）を通り、前記短尺パイプ（６）に挿通させ、該弾性ワイヤ（２）の先端部に爪（８）を固定するとともに、該弾性ワイヤ（２）の後端部に余長（ａ）を残し、前記爪（８）をスライドさせる爪スライドレバ−（９）を取付け、前記短尺パイプ（６）の基部に紐（１０）を固定し、該紐（１０）を前後動可能に、前記第一パイプ（１）と第二パイプ（３）に添設し、前記握り筒（７）まで延設してなることを特長とする通線用呼び線捕捉工具
【発明の詳細な説明】
【技術分野】
【０００１】
本発明は、通線用呼び線捕捉工具に関するものである。
【背景技術】
【０００２】
既設の電線管の中に、新たな電線・ケ−ブル類を通線する場合には、例えば、一方のマンホ−ルから、先端部にカメラを装着したＦＲＰ製の通線ロッドを、カメラによって、電線管の隙間を探しながら、押し進めていき、他方のマンホ−ルに進出してきた通線ロッドをマンホ−ルから引き出し、通線ロッドに添えていた呼び線に新たな電線・ケ−ブル類を接続したのち、通線ロッドと呼び線を引き戻すという工法によって行われている。
【０００３】
前記工法は、通線ロッドの呼び線を作業者が直接掴んで取り出せる程度のスペ−スが必要であり、このようなスペ−スが確保できない作業環境では、呼び線を引き出すことができないという問題点があった。
【特許文献１】特開平１０−７０８０７号公報
【特許文献２】特開平１０−３４１６３７号公報
【発明の開示】
【発明が解決しようとする課題】
【０００４】
この発明は、背景技術で記述した問題点を解消するためになされたもので、作業者が通線ロッドの呼び線を直接掴んで取り出ないような狭小なスペ−スにおいても、呼び線を取り出すことが可能な通線用呼び線捕捉工具の提供を目的とするものである。
【課題を解決するための手段】
【０００５】
この発明の通線用呼び線捕捉工具は、カメラ操作用ケ−ブル類を挿通する第一パイプと弾性ワイヤを挿通する第２パイプとを併設し、前記第一パイプの先端部にフレキシブルパイプを取付け、該フレキシブルパイプの先端部にカメラ受け台を取付け、該カメラ受け台の上端部に短尺パイプを固定し、前記第二パイプの手元部に、該第二パイプに対してほぼ直角に突出するように、握り筒を設け、該握り筒から前記弾性ワイヤを前記第二パイプを通り、前記短尺パイプに挿通させ、該弾性ワイヤの先端部に爪を固定するとともに、該弾性ワイヤの後端部に余長を残し、前記爪をスライドさせる爪スライドレバ−を取付け、前記短尺パイプの基部に紐を固定し、該紐を前後動可能に、前記第一パイプと第二パイプに添設し、前記握り筒まで延設していることを特長とするものである。
【発明の効果】
【０００６】
この発明は上述のように構成されているので、次のような効果を奏する。
（１）第一パイプと第２パイプを挿通できるスペ−スがあれば、カメラで呼び線の位置を確認しながら、呼び線を引き出すことができる。
（２）フレキシブルパイプを設置しているので、握り筒部の紐を引けば、カメラ部及び爪部を屈曲できる。
（３）弾性ワイヤに余長を付けているので、爪スライドレバ−を引いたり、押し込んだりすることにより、爪を進退させることができる。
（４）握り筒を設けているので、操作がし易い。
【発明を実施するための最良の形態】
【０００７】
作業者が通線ロッドの呼び線を直接掴んで取り出ないような狭小なスペ−スにおいても、呼び線を取り出すことが可能な通線用呼び線捕捉工具の提供という目的を、フレキシブルパイプを使用し、カメラ部と爪部を屈曲可能にし、かつ弾性ワイヤに余長を付け、爪を進退可能にすることで実現できた。
【実施例】
【０００８】
本発明の実施の一例を図面を参照しながら説明する。図１に示すように、カメラ操作用ケ−ブル類を挿通する第一パイプ１と弾性ワイヤ２を挿通する第２パイプ３とを、例えば、バインド部材ｂで適宜間隔をおいて締結し、併設している。
【０００９】
第一パイプ１の先端部にフレキシブルパイプ４を取付け、フレキシブルパイプ４の先端部にカメラ受け台５を取付け、カメラｃ（図１において、点線で示している。）を装着している。
【００１０】
カメラ受け台５の上端部に短尺パイプ６を固定している。短尺パイプ６は、挿通される弾性ワイヤ２のガイドとして作用し、これによって爪８の位置決めが容易になる。
【００１１】
第二パイプ３の手元部に、第二パイプ３に対してほぼ直角に突出するように、握り筒７を設けている。作業者はこの握り筒７を握りながら作業を進める。なお、握り筒７は、第二パイプ３の後端部に取り付け部材によって固定されている。
【００１２】
握り筒７から弾性ワイヤ２を第二パイプ３中を通過し、短尺パイプ６に挿通させ、弾性ワイヤ２の先端部に、図示は省略した呼び線を引き掛ける爪８を固定している。弾性ワイヤ２の後端部に余長ａを残し、爪８を前後にスライドさせ、進退させる爪スライドレバ−９を取付けている。
【００１３】
短尺パイプ６の基部に紐１０を固定し、紐１０を前後動可能に、第一パイプ１と第二パイプ３に、例えば、バインド部材ｂを介して、添設し、握り筒７まで延設してている。なお、図１において、ｄは、リングで、このリングｄを手前に引けば、紐１０が緊張し、フレキシブルパイプ４、弾性ワイヤ２及び爪８部を、図１において、点線で図示したように、屈曲できるようになっている。
【００１４】
紐１０を弛めると、弾性ワイヤ２の弾性によって、元の直線状の姿勢に復帰する。図１において、ｅはカメラｃの操作ケ−ブル、ｆはカメラｃの電源用電池である。
【００１５】
実施に際しては、作業者は、本願の工具を狭小なスペ−スに差し込み、カメラｃによって、通線ロッドによって狭小なスペ−スまで通線されている呼び線の位置を確認しながら（実際は、カメラｃに接続されているモニタ−に映し出された画面で確認する。）、爪スライドレバ−９を操作して、爪８を進退させたり、または紐１０を操作して、爪８を屈曲させたりして、呼び線を爪８に引き掛けて、スペ−スの外へ引き出す。
【００１６】
引き出された呼び線には作業目的に合わせて、新しい電線・ケ−ブル類を接続し、狭小スペ−スから電線管路等に引き込むのである。
【産業上の利用可能性】
【００１７】
狭小スペ−スから呼び線を引き出し、該呼び線に電線・ケ−ブル類を接続し、前記狭小なスパ−スから電線・ケ−ブル類を電線管路等に引き込む作業において、狭小なスペ−ス部で、呼び線を捕捉し引き出すための工具として利用できる。
【図面の簡単な説明】
【００１８】
【図１】本発明の実施の一例を示す側面図
【符号の説明】
【００１９】
１ 第一パイプ
２ 弾性ワイヤ
３ 第二パイプ
４ フレキシブルパイプ
５ カメラ受け台
６ 短尺パイプ
７ 握り筒
８ 爪
９ 爪スライドレバ−
１０ 紐
ａ 余長
ｂ バインド部材
ｃ カメラ
ｄ リング
ｅ カメラの操作ケ−ブル
ｆ 電池
【図１】
2005278276.tif 000003